(57)【特許請求の範囲】
【請求項１】
データ伝送の方法であって、
モビリティ管理エンティティによって、ユーザ機器（ＵＥ）が到達不可能状態から到達可能状態に変化したと決定する段階と、
前記モビリティ管理エンティティによって、要求メッセージをサービングゲートウェイ（ＳＧＷ）へ送信する段階と、
前記モビリティ管理エンティティによって、前記ＳＧＷからダウンリンクデータを受信する段階と、
前記モビリティ管理エンティティによって、前記ダウンリンクデータを前記ＵＥへ送信する段階と
を備える方法。
【請求項２】
前記ＵＥにサービスを提供するモビリティ管理エンティティが元のモビリティ管理エンティティから新しいモビリティ管理エンティティに切り換えられるとき、前記モビリティ管理エンティティによって、要求メッセージをサービングゲートウェイ（ＳＧＷ）へ送信する前記段階は、前記新しいモビリティ管理エンティティによって、前記要求メッセージを前記ＳＧＷへ送信する段階を含み、
前記モビリティ管理エンティティによって、前記ＳＧＷからダウンリンクデータを受信する前記段階は、前記新しいモビリティ管理エンティティによって、前記ダウンリンクデータを前記ＳＧＷから受信する段階を含み、
前記モビリティ管理エンティティによって、前記ダウンリンクデータを前記ＵＥへ送信する前記段階は、前記新しいモビリティ管理エンティティによって、前記ダウンリンクデータを前記ＵＥへ送信する段階を含む、
請求項１に記載の方法。
【請求項３】
モビリティ管理エンティティによって、ＵＥが到達不可能状態から到達可能状態に変化したと決定する前記段階は、
前記ＵＥから非アクセス層メッセージ（ＮＡＳメッセージ）が受信されたとき、前記モビリティ管理エンティティによって、前記ＵＥが到達可能状態にあると決定する段階を含む、
請求項１または２に記載の方法。
【請求項４】
前記ＮＡＳメッセージは、トラッキングエリアアップデート（ＴＡＵ）メッセージである、請求項３に記載の方法。
【請求項５】
前記モビリティ管理エンティティによって、前記要求メッセージを前記ＳＧＷへ送信する前記段階は、
前記モビリティ管理エンティティによって、前記ダウンリンクデータが期限切れでないと決定する段階と、
前記モビリティ管理エンティティによって、前記要求メッセージを前記ＳＧＷへ送信する段階と
を含む、請求項１から４のいずれか一項に記載の方法。
【請求項６】
データ伝送の方法であって、
サービングゲートウェイ（ＳＧＷ）によって、ユーザ機器（ＵＥ）宛てのダウンリンクデータを受信する段階と、
前記ＳＧＷによって、ダウンリンクデータ通知メッセージをモビリティ管理エンティティへ送信する段階と、
前記ＳＧＷによって、キャッシュ指示を前記モビリティ管理エンティティから受信する段階と、
前記ＳＧＷによって、前記キャッシュ指示に従って、前記ダウンリンクデータをキャッシュする段階と、
前記ＳＧＷによって、前記モビリティ管理エンティティから要求メッセージを受信する段階と、
前記ＳＧＷによって、前記要求メッセージに従って、前記ダウンリンクデータを前記モビリティ管理エンティティへ送信する段階と、
を備える方法。
【請求項７】
前記キャッシュ指示はさらに、キャッシュ有効時間を含み、前記方法はさらに、前記ＳＧＷによって、前記キャッシュ有効時間に従って、前記ダウンリンクデータのキャッシュ有効時間を設定する段階を備える、請求項６に記載の方法。
【請求項８】
モビリティ管理エンティティであって、
ユーザ機器（ＵＥ）が到達不可能状態から到達可能状態に変化したと決定する処理モジュールと、
要求メッセージをサービングゲートウェイ（ＳＧＷ）へ送信する送信モジュールと、
前記ＳＧＷからダウンリンクデータを受信する受信モジュールと
を備え、
前記送信モジュールはさらに、前記ダウンリンクデータを前記ＵＥへ送信する、
モビリティ管理エンティティ。
【請求項９】
前記モビリティ管理エンティティは、新しいモビリティ管理エンティティであり、前記ＵＥにサービスを提供する前記モビリティ管理エンティティは、元のモビリティ管理エンティティから前記新しいモビリティ管理エンティティに切り換えられる、請求項８に記載のモビリティ管理エンティティ。
【請求項１０】
前記処理モジュールはさらに、前記ＵＥからの非アクセス層メッセージ（ＮＡＳメッセージ）が受信されたとき、前記ＵＥが到達可能状態にあると決定する、請求項８または９に記載のモビリティ管理エンティティ。
【請求項１１】
前記ＮＡＳメッセージは、トラッキングエリアアップデート（ＴＡＵ）メッセージである、請求項１０に記載のモビリティ管理エンティティ。
【請求項１２】
前記送信モジュールはさらに、前記ダウンリンクデータが期限切れでないと決定されたとき、前記要求メッセージを前記ＳＧＷへ送信する、請求項８から１１のいずれか一項に記載のモビリティ管理エンティティ。
【請求項１３】
サービングゲートウェイ（ＳＧＷ）であって、
受信モジュール、送信モジュール、記憶モジュールおよび処理モジュールを備え、
前記受信モジュールは、ユーザ機器（ＵＥ）宛てのダウンリンクデータを受信し、
前記送信モジュールは、ダウンリンクデータ通知メッセージをモビリティ管理エンティティへ送信し、
前記受信モジュールはさらに、前記モビリティ管理エンティティからのキャッシュ指示を受信し、
前記記憶モジュールは、前記キャッシュ指示に従って前記ダウンリンクデータをキャッシュし、
前記受信モジュールはさらに、前記モビリティ管理エンティティからの要求メッセージを受信し、
前記送信モジュールはさらに、前記要求メッセージに従って、前記ダウンリンクデータを前記モビリティ管理エンティティへ送信し、
前記処理モジュールは、前記ダウンリンクデータをキャッシュするように前記記憶モジュールに命令する、
ＳＧＷ。
【請求項１４】
前記キャッシュ指示はさらに、キャッシュ有効時間を含み、前記処理モジュールはさらに、前記キャッシュ有効時間に従って、前記ダウンリンクデータのキャッシュ有効時間を設定する、請求項１３に記載のＳＧＷ。
【請求項１５】
請求項１から５のいずれか一項に記載の方法を実行するモビリティ管理エンティティと、
請求項６または７に記載の方法を実行するサービングゲートウェイと
を備える通信システム。
【請求項１６】
請求項１から５のいずれか一項に記載の方法をコンピュータに実行させるプログラム。
【請求項１７】
請求項６または７に記載の方法をコンピュータに実行させるプログラム。
【発明の詳細な説明】
【技術分野】
【０００１】
本発明は、通信分野に関し、特に、データ伝送の方法および装置に関する。
【背景技術】
【０００２】
従来のユーザ機器（Ｕｓｅｒ  Ｅｑｕｉｐｍｅｎｔ、ＵＥ）アプリケーションとの違いとして、多くのマシンツーマシン（Ｍａｃｈｉｎｅ  ｔｏ  Ｍａｃｈｉｎｅ、Ｍ２Ｍ）アプリケーションは、少量データのみを受信および送信する。少量データは通常、わずか数バイトまたは数十バイトである。例えば、水道計および電力計のＭ２Ｍデバイスは、アプリケーションサーバとの間でいくらかの少量データを交換するだけでよい。少量データのみを伝送するためにユーザプレーンベアラが確立される場合、ネットワークリソースが無駄である。第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、ネットワークリソースを節約するという前提で、少量データをいかにして効率的に伝送するかを研究している。１つの方法は、コントロールプレーンの非アクセス層（Ｎｏｎ−Ａｃｃｅｓｓ  Ｓｔｒａｔｕｍ、ＮＡＳ）メッセージを使用することによって少量データを伝送することである。この方法は、ユーザプレーンを確立するためのシグナリングのオーバーヘッドを回避するので、効果的な少量データ伝送の方法である。
【０００３】
電力を節約するべく、省電力モード（Ｐｏｗｅｒ  Ｓａｖｉｎｇ  Ｍｏｄｅ、ＰＳＭ）および延長された不連続受信（ｅｘｔｅｎｄｅｄ  Ｄｉｓｃｏｎｔｉｎｕｏｕｓ  Ｒｅｃｅｐｔｉｏｎ、ｅＤＲＸ）などの、いくつかの省電力技術がＭ２Ｍデバイスにおいて使用されている。省電力機能がＭ２Ｍデバイス上で有効になっているとき、Ｍ２Ｍデバイスは一時的に到達不可能状態なので、ダウンリンクデータをＭ２Ｍデバイスへ送信することができない。省電力機能を使用しているＭ２Ｍデバイスにとって、少量ダウンリンクデータをいかにして効果的に伝送するかは、解決される必要がある課題である。
【０００４】
従来技術における、ＮＡＳを使用して少量データを伝送する上記の方法は、ＵＥが到達可能であるときのみ実行される。ＵＥが省電力技術を使用していて一時的に到達不可能状態にあるときに、少量ダウンリンクデータをいかにして伝送するかは考慮されていない。ＵＥが省電力技術を使用していて到達不可能状態であるとき、ＵＥは少量ダウンリンクデータを受信できず、それにより、少量ダウンリンクデータの消失が起きる。
【発明の概要】
【０００５】
これを念頭に、本発明では、ダウンリンクデータの消失を回避するための、データ伝送の方法および装置を提供する。
【０００６】
本発明の実施形態の第１態様は、データ伝送の方法を提供し、方法は、ユーザ機器ＵＥが到達不可能状態から到達可能状態に変化したとモビリティ管理エンティティＭＭＥが決定する段階と、ＭＭＥが要求メッセージをサービングゲートウェイＳＧＷへ送信する段階と、ＭＭＥが、ＳＧＷによって送信されたダウンリンクデータを受信する段階と、ＭＭＥがダウンリンクデータをＵＥへ送信する段階とを備える。
【０００７】
本発明の実施形態の第１態様に関連して、本発明の実施形態の第１態様の第１実装において、ＭＭＥは、元のＭＭＥおよび新しいＭＭＥを含み、ＵＥにサービスを提供する元のＭＭＥが新しいＭＭＥに切り換えられるとき、ＭＭＥが要求メッセージをサービングゲートウェイＳＧＷへ送信する段階は、元のＭＭＥが要求メッセージをＳＧＷへ送信する段階を含み、ＭＭＥがＳＧＷによって送信されたダウンリンクデータを受信する段階は、元のＭＭＥが、ＳＧＷによって送信されたダウンリンクデータを受信する段階を含み、方法はさらに、元のＭＭＥがダウンリンクデータを新しいＭＭＥへ送信する段階を備え、ＭＭＥがダウンリンクデータをＵＥへ送信する段階は、新しいＭＭＥがダウンリンクデータをＵＥへ送信する段階を含む。
【０００８】
本発明の実施形態の第１態様に関連して、本発明の実施形態の第１態様の第２実装において、ＭＭＥは、元のＭＭＥおよび新しいＭＭＥを含み、ＵＥにサービスを提供する元のＭＭＥが新しいＭＭＥに切り換えられるとき、ＭＭＥが要求メッセージをサービングゲートウェイＳＧＷへ送信する段階は、新しいＭＭＥが要求メッセージをＳＧＷへ送信する段階を含み、ＭＭＥがＳＧＷによって送信されたダウンリンクデータを受信する段階は、新しいＭＭＥがＳＧＷによって送信されたダウンリンクデータを受信する段階を含み、ＭＭＥがダウンリンクデータをＵＥへ送信する段階は、新しいＭＭＥがダウンリンクデータをＵＥへ送信する段階を含む。
【０００９】
本発明の実施形態の第１態様、第１態様の第１実装、または、第１態様の第２実装のいずれか１つに関連して、本発明の実施形態の第１態様の第３実装において、ユーザ機器ＵＥが到達不可能状態から到達可能状態に変化したとモビリティ管理エンティティＭＭＥが決定する段階は、ＭＭＥが、ＵＥによって送信された非アクセス層ＮＡＳメッセージを受信し、ＵＥが到達可能状態にあると決定する段階を含む。
【００１０】
本発明の実施形態の第１態様、第１態様の第１実装、または、第１態様の第２実装のいずれか１つに関連して、本発明の実施形態の第１態様の第４実装において、ＭＭＥが要求メッセージをＳＧＷへ送信する前に、方法はさらに、ＵＥが到達不可能状態から到達可能状態に変化したとＭＭＥが決定したとき、ＭＭＥがＵＥをページングする段階と、ＭＭＥがＵＥによって送信されたサービス要求メッセージを受信する段階とを備える。
【００１１】
本発明の実施形態の第１態様、第１態様の第１実装、第１態様の第２実装、第１態様の第３実装、または、第１態様の第４実装のいずれか１つに関連して、本発明の実施形態の第１態様の第５実装において、ＵＥが到達不可能状態から到達可能状態に変化したとＭＭＥが決定する前に、方法はさらに、ＵＥが到達不可能状態にあるとＭＭＥが決定し、ＭＭＥが、応答メッセージをＳＧＷへ送信する段階であって、応答メッセージはダウンリンクデータをキャッシュするようにＳＧＷに命令するために使用される、段階を備える。
【００１２】
本発明の実施形態の第１態様の第５実装に関連して、本発明の実施形態の第１態様の第６実装において、応答メッセージはさらに、キャッシュ有効時間を含み、キャッシュ有効時間は、ＳＧＷがダウンリンクデータをキャッシュする有効時間を示すために使用される。
【００１３】
本発明の実施形態の第１態様、第１態様の第１実装、第１態様の第２実装、第１態様の第３実装、第１態様の第４実装、または、第１態様の第５実装のいずれか１つに関連して、本発明の実施形態の第１態様の第７実装において、ＭＭＥが要求メッセージをＳＧＷへ送信する段階は、ダウンリンクデータが期限切れでないとＭＭＥが決定し、ＭＭＥが、要求メッセージをＳＧＷへ送信する段階を含む。
【００１４】
本発明の実施形態の第２態様は、データ伝送の方法を提供し、方法は、モビリティ管理エンティティＭＭＥが、サービングゲートウェイＳＧＷによって送信されたダウンリンクデータ通知メッセージを受信する段階であって、当該通知メッセージは、ユーザ機器ＵＥ宛てのダウンリンクデータを含む、段階と、ＵＥが到達不可能状態にあるとＭＭＥが決定し、ＭＭＥがダウンリンクデータをキャッシュする段階と、ＵＥが到達可能状態に変化したとき、ＭＭＥが、ダウンリンクデータをＵＥへ送信する段階とを備える。
【００１５】
本発明の実施形態の第２態様に関連して、本発明の実施形態の第２態様の第１実装において、ＭＭＥがダウンリンクデータをキャッシュした後、方法はさらに、ＭＭＥがダウンリンクデータのキャッシュ有効時間を設定する段階を備える。
【００１６】
本発明の実施形態の第２態様、または、第２態様の第１実装に関連して、本発明の実施形態の第２態様の第２実装において、ＭＭＥがダウンリンクデータをＵＥへ送信する段階は、ダウンリンクデータが期限切れでないとＭＭＥが決定し、ＭＭＥが、ダウンリンクデータをＵＥへ送信する段階を含む。
【００１７】
本発明の実施形態の第２態様、第２態様の第１実装、または、第２態様の第２実装のいずれか１つに関連して、本発明の実施形態の第２態様の第３実装において、ＭＭＥは、元のＭＭＥおよび新しいＭＭＥを含み、ＵＥにサービスを提供する元のＭＭＥが新しいＭＭＥに切り換えられるとき、ＭＭＥがダウンリンクデータをＵＥへ送信する段階は、元のＭＭＥがダウンリンクデータを新しいＭＭＥへ送信する段階と、新しいＭＭＥがダウンリンクデータをＵＥへ送信する段階とを含む。
【００１８】
本発明の実施形態の第２態様、第２態様の第１実装、第２態様の第２実装、または、第２態様の第３実装のいずれか１つに関連して、本発明の実施形態の第２態様の第４実装において、ＭＭＥが、ダウンリンクデータをＵＥへ送信する前に、方法はさらに、ＭＭＥが、ＵＥによって送信された非アクセス層ＮＡＳメッセージを受信し、ＵＥが到達可能状態であると決定する段階を備える。
【００１９】
本発明の実施形態の第２態様、第２態様の第１実装、第２態様の第２実装、または、第２態様の第３実装のいずれか１つに関連して、本発明の実施形態の第２態様の第５実装において、ＭＭＥがダウンリンクデータをＵＥへ送信する前に、方法はさらに、ＵＥが到達可能状態に変化したとＭＭＥが決定し、ＭＭＥがＵＥをページングする段階と、ＭＭＥが、ＵＥによって送信されたサービス要求メッセージを受信する段階とを備える。
【００２０】
本発明の実施形態の第２態様、第２態様の第１実装、第２態様の第２実装、第２態様の第３実装、第２態様の第４実装、または、第２態様の第５実装のいずれか１つに関連して、本発明の実施形態の第２態様の第６実装において、ＭＭＥがダウンリンクデータをキャッシュした後に、方法はさらに、ＭＭＥが指示メッセージをＳＧＷへ送信し、ダウンリンクデータがキャッシュされていることを示す段階を備える。
【００２１】
本発明の実施形態の第２態様の第６実装に関連して、本発明の実施形態の第２態様の第７実装において、指示メッセージはさらに、ダウンリンクデータのキャッシュ有効時間を含む。
【００２２】
本発明の実施形態の第３態様は、データ伝送の方法を提供し、方法は、サービングゲートウェイＳＧＷが、ユーザ機器ＵＥ宛てのダウンリンクデータを受信する段階と、ＳＧＷが、ダウンリンクデータ通知メッセージをモビリティ管理エンティティＭＭＥへ送信する段階と、ＳＧＷが、ＭＭＥによって送信されたキャッシュ指示を受信する段階と、ＳＧＷが、キャッシュ指示に従ってダウンリンクデータをキャッシュする段階と、ＳＧＷが、ＭＭＥによって送信された要求メッセージを受信する段階と、ＳＧＷが、要求メッセージに従って、ダウンリンクデータをＭＭＥへ送信することにより、ＭＭＥがダウンリンクデータをＵＥへ送信する段階とを備える。
【００２３】
本発明の実施形態の第３態様に関連して、本発明の実施形態の第３態様の第１実装において、キャッシュ指示はさらに、キャッシュ有効時間を含み、ＳＧＷがキャッシュ指示に従ってダウンリンクデータをキャッシュした後に、方法はさらに、ＳＧＷがキャッシュ指示に従ってダウンリンクデータのキャッシュ有効時間を設定する段階を備える。
【００２４】
本発明の実施形態の第４態様は、データ伝送の方法を提供し、方法は、モビリティ管理エンティティＭＭＥが、アプリケーションサーバによって構成された到達可能性イベントを受信する段階であって、到達可能性イベントは、ユーザ機器ＵＥが到達可能状態にあることをＭＭＥがアプリケーションサーバに示すために使用される、段階と、ＭＭＥが、ＵＥによって送信された非アクセス層ＮＡＳメッセージを受信し、ＵＥが到達可能状態にあると決定するか、または、ＵＥが到達可能状態に変化したとＭＭＥが決定したとき、ＭＭＥがＵＥをページングし、ＵＥによって発行されたサービス要求メッセージを受信する段階と、ＭＭＥが、ＵＥの到達可能性イベントレポートをアプリケーションサーバへ送信する段階と、ＭＭＥがダウンリンクデータをアプリケーションサーバから受信する段階と、ＭＭＥが、ダウンリンクデータをＵＥへ送信する段階とを備える。
【００２５】
本発明の実施形態の第４態様に関連して、本発明の実施形態の第４態様の第１実装において、ＭＭＥが、アプリケーションサーバによって送信されたダウンリンクデータを受信する段階は、ＭＭＥが、サービングゲートウェイＳＧＷを使用して、アプリケーションサーバによって送信されたダウンリンクデータを受信する段階を含む。
【００２６】
本発明の実施形態の第５態様は、モビリティ管理エンティティＭＭＥを提供し、ＭＭＥは、ユーザ機器ＵＥが到達不可能状態から到達可能状態に変化したと決定するように構成されている処理モジュールと、要求メッセージをサービングゲートウェイＳＧＷへ送信するように構成されている送信モジュールと、ＳＧＷによって送信されたダウンリンクデータを受信するように構成されている受信モジュールとを備え、送信モジュールはさらに、ダウンリンクデータをＵＥへ送信するように構成されている。
【００２７】
本発明の実施形態の第５態様に関連して、本発明の実施形態の第５態様の第１実装において、ＭＭＥは、元のＭＭＥおよび新しいＭＭＥを含み、ＵＥにサービスを提供する元のＭＭＥが新しいＭＭＥに切り換えられるとき、送信モジュールは、具体的には、元のＭＭＥが要求メッセージをＳＧＷへ送信するように構成され、受信モジュールは、具体的には、元のＭＭＥが、ＳＧＷによって送信されたダウンリンクデータを受信するように構成され、送信モジュールはさらに、元のＭＭＥが、ダウンリンクデータを新しいＭＭＥへ送信するように構成され、送信モジュールはさらに、新しいＭＭＥが、ダウンリンクデータをＵＥへ送信するように構成されている。
【００２８】
本発明の実施形態の第５態様に関連して、本発明の実施形態の第５態様の第２実装において、ＭＭＥは、元のＭＭＥおよび新しいＭＭＥを含み、ＵＥにサービスを提供する元のＭＭＥが新しいＭＭＥに切り換えられるとき、送信モジュールは、具体的には、新しいＭＭＥが要求メッセージをＳＧＷへ送信するように構成され、受信モジュールは、具体的には、新しいＭＭＥが、ＳＧＷによって送信されたダウンリンクデータを受信するように構成され、送信モジュールはさらに、新しいＭＭＥが、ダウンリンクデータをＵＥへ送信するように構成されている。
【００２９】
本発明の実施形態の第５態様、第５態様の第１実装、または、第５態様の第２実装のいずれか１つに関連して、本発明の実施形態の第５態様の第３実装において、処理モジュールは、具体的には、ＵＥによって送信された非アクセス層ＮＡＳメッセージが受信されたとき、ＵＥが到達可能状態にあると決定するように構成されている。
【００３０】
本発明の実施形態の第５態様、第５態様の第１実装、または、第５態様の第２実装のいずれか１つに関連して、本発明の実施形態の第５態様の第４実装において、送信モジュールはさらに、要求メッセージをＳＧＷへ送信する前に、ＵＥが到達不可能状態から到達可能状態に変化したと決定されたとき、ＵＥをページングするように構成され、受信モジュールはさらに、ＵＥによって送信されたサービス要求メッセージを受信するように構成されている。
【００３１】
本発明の実施形態の第５態様、第５態様の第１実装、第５態様の第２実装、第５態様の第３実装、または、第５態様の第４実装のいずれか１つに関連して、本発明の実施形態の第５態様の第５実装において、送信モジュールはさらに、ＵＥが到達不可能状態から到達可能状態に変化したと決定される前に、ＵＥが到達不可能状態にあると決定されたとき、応答メッセージをＳＧＷへ送信するように構成され、応答メッセージは、ダウンリンクデータをキャッシュするようにＳＧＷに命令するために使用される。
【００３２】
本発明の実施形態の第５態様の第５実装に関連して、本発明の実施形態の第５態様の第６実装において、応答メッセージはさらに、キャッシュ有効時間を含み、キャッシュ有効時間は、ＳＧＷがダウンリンクデータをキャッシュする有効時間を示すために使用される。
【００３３】
本発明の実施形態の第５態様、第５態様の第１実装、第５態様の第２実装、第５態様の第３実装、第５態様の第４実装、または、第５態様の第５実装のいずれか１つに関連して、本発明の実施形態の第５態様の第７実装において、送信モジュールはさらに、具体的には、ダウンリンクデータが期限切れでないと決定されたとき、要求メッセージをＳＧＷへ送信するように構成されている。
【００３４】
本発明の実施形態の第６態様は、モビリティ管理エンティティＭＭＥを提供し、ＭＭＥは、サービングゲートウェイＳＧＷによって送信されたダウンリンクデータ通知メッセージを受信するように構成されている受信モジュールであって、当該通知メッセージは、ユーザ機器ＵＥ宛てのダウンリンクデータを含む、受信モジュールと、ＵＥが到達不可能状態にあると決定するように構成されている処理モジュールと、ＵＥが到達不可能状態にあると決定されたとき、ダウンリンクデータをキャッシュするように構成されている記憶モジュールと、ＵＥが到達可能状態に変化したとき、ダウンリンクデータをＵＥへ送信するように構成されている送信モジュールとを備える。
【００３５】
本発明の実施形態の第６態様に関連して、本発明の実施形態の第６態様の第１実装において、処理モジュールはさらに、ダウンリンクデータがキャッシュされた後、ダウンリンクデータのキャッシュ有効時間を設定するように構成されている。
【００３６】
本発明の実施形態の第６態様、または、第６態様の第１実装に関連して、本発明の実施形態の第６態様の第２実装において、送信モジュールは、具体的には、ダウンリンクデータが期限切れでないと決定されたとき、ダウンリンクデータをＵＥへ送信するように構成されている。
【００３７】
本発明の実施形態の第６態様、第６態様の第１実装、または、第６態様の第２実装のいずれか１つに関連して、本発明の実施形態の第６態様の第３実装において、ＭＭＥは、元のＭＭＥおよび新しいＭＭＥを含み、ＵＥにサービスを提供する元のＭＭＥが新しいＭＭＥに切り換えられるとき、送信モジュールは、具体的には、元のＭＭＥがダウンリンクデータを新しいＭＭＥへ送信するように、および、新しいＭＭＥがダウンリンクデータをＵＥへ送信するように構成されている。
【００３８】
本発明の実施形態の第６態様、第６態様の第１実装、第６態様の第２実装、または、第６態様の第３実装のいずれか１つに関連して、本発明の実施形態の第６態様の第４実装において、処理モジュールは、具体的には、ＵＥによって送信された非アクセス層ＮＡＳメッセージが受信されたとき、ＵＥが到達可能状態にあると決定するように構成されている。
【００３９】
本発明の実施形態の第６態様、第６態様の第１実装、第６態様の第２実装、または、第６態様の第３実装のいずれか１つに関連して、本発明の実施形態の第６態様の第５実装において、送信モジュールはさらに、ダウンリンクデータがＵＥへ送信される前に、ＵＥが到達可能状態に変化したと決定されたとき、ＭＭＥがＵＥをページングするように構成され、受信モジュールはさらに、ＵＥによって送信されたサービス要求メッセージを受信するように構成されている。
【００４０】
本発明の実施形態の第６態様、第６態様の第１実装、第６態様の第２実装、第６態様の第３実装、第６態様の第４実装、または、第６態様の第５実装のいずれか１つに関連して、本発明の実施形態の第６態様の第６実装において、送信モジュールはさらに、ダウンリンクデータがキャッシュされた後に、指示メッセージをＳＧＷへ送信し、ダウンリンクデータがキャッシュされていることを示すように構成されている。
【００４１】
本発明の実施形態の第６態様の第６実装に関連して、本発明の実施形態の第６態様の第７実装において、指示メッセージはさらに、ダウンリンクデータのキャッシュ有効時間を含む。
【００４２】
本発明の実施形態の第７態様は、サービングゲートウェイＳＧＷを提供し、ＳＧＷは、受信モジュール、送信モジュール、記憶モジュールおよび処理モジュールを備え、受信モジュールは、ユーザ機器ＵＥ宛てのダウンリンクデータを受信するように構成され、送信モジュールは、ダウンリンクデータ通知メッセージをモビリティ管理エンティティＭＭＥへ送信するように構成され、受信モジュールはさらに、ＭＭＥによって送信されたキャッシュ指示を受信するように構成されており、記憶モジュールは、キャッシュ指示に従ってダウンリンクデータをキャッシュするように構成され、受信モジュールはさらに、ＭＭＥによって送信された要求メッセージを受信するように構成されており、送信モジュールはさらに、要求メッセージに従って、ダウンリンクデータをＭＭＥへ送信することにより、ＭＭＥがダウンリンクデータをＵＥへ送信するように構成され、処理モジュールは、ダウンリンクデータをキャッシュするように記憶モジュールに命令するように構成されている。
【００４３】
本発明の実施形態の第７態様に関連して、本発明の実施形態の第７態様の第１実装において、キャッシュ指示はさらに、キャッシュ有効時間を含み、処理モジュールはさらに、キャッシュ指示に従ってダウンリンクデータがキャッシュされた後に、キャッシュ指示に従ってダウンリンクデータのキャッシュ有効時間を設定するように構成されている。
【００４４】
本発明の実施形態の第８態様は、モビリティ管理エンティティＭＭＥを提供し、ＭＭＥは、受信モジュールと、送信モジュールと、処理モジュールとを備え、受信モジュールは、アプリケーションサーバによって構成された到達可能性イベントを受信するように構成され、到達可能性イベントは、ユーザ機器ＵＥが到達可能状態にあるとＭＭＥがアプリケーションサーバに示すために使用され、受信モジュールはさらに、ＵＥによって送信された非アクセス層ＮＡＳメッセージを受信し、ＵＥが到達可能状態にあると決定するように構成され、または、ＵＥが到達可能状態に変化したと決定されたとき、ＵＥをページングし、ＵＥによって発行されたサービス要求メッセージを受信するように構成され、送信モジュールは、ＵＥの到達可能性イベントレポートをアプリケーションサーバへ送信するように構成され、受信モジュールはさらに、ダウンリンクデータをアプリケーションサーバから受信するように構成され、送信モジュールはさらに、ダウンリンクデータをＵＥへ送信するように構成され、処理モジュールは、ＵＥの状態を決定するように構成されている。
【００４５】
本発明の実施形態の第８態様に関連して、本発明の実施形態の第８態様の第１実装において、受信モジュールは、具体的には、サービングゲートウェイＳＧＷを通して、アプリケーションサーバによって送信されたダウンリンクデータを受信するように構成されている。
【００４６】
本発明の実施形態において提供されるデータ伝送の方法は、ユーザ機器ＵＥが到達不可能状態から到達可能状態に変化したとモビリティ管理エンティティＭＭＥが決定する段階と、ＭＭＥが要求メッセージをサービングゲートウェイＳＧＷへ送信する段階と、ＭＭＥが、ＳＧＷによって送信されたダウンリンクデータを受信する段階と、ＭＭＥがダウンリンクデータをＵＥへ送信する段階とを備える方法。このようにして、ＵＥがダウンリンクデータの到達可能状態に変化したとき、ＭＭＥは、ダウンリンクデータを送信するようにＳＧＷに要求し、次にＭＭＥは、ダウンリンクデータをＵＥへ送信する。それにより、到達不可能状態にあるＵＥへダウンリンクデータが配送されることにより発生する、ダウンリンクデータの消失を回避し、伝送のリアルタイムの正確度を改善する。
【図面の簡単な説明】
【００４７】
本発明の実施形態における、または従来技術における技術的解決法をより明確に説明すべく、実施形態または従来技術を説明するために必要な添付図面を以下で簡潔に説明する。以下の説明における添付図面は、本発明のいくつかの実施形態を示しているに過ぎず、当業者ならば、創造的努力をせずとも、これらの添付図面から他の図面を導き出し得ることは明らかである。
【図１】本発明の実施形態に係るデータ伝送方法の概略図である。
【図２】本発明の実施形態に係るデータ伝送方法の別の概略図である。
【図３】本発明の実施形態に係るデータ伝送方法の別の概略図である。
【図４】本発明の実施形態に係るデータ伝送方法の別の概略図である。
【図５】本発明の実施形態に係るデータ伝送方法の別の概略図である。
【図６】本発明の実施形態に係るデータ伝送方法の別の概略図である。
【図７】本発明の実施形態に係るデータ伝送方法の別の概略図である。
【図８】本発明の実施形態に係るモビリティ管理エンティティＭＭＥの概略図である。
【図９】本発明の実施形態に係るモビリティ管理エンティティＭＭＥの別の概略図である。
【図１０】本発明の実施形態に係るサービングゲートウェイＳＧＷの概略図である。
【図１１】本発明の実施形態に係るモビリティ管理エンティティＭＭＥの別の概略図である。
【図１２】本発明の実施形態に係るモビリティ管理エンティティＭＭＥの別の概略図である。
【図１３】本発明の実施形態に係るサービングゲートウェイＳＧＷの別の概略図である。
【発明を実施するための形態】
【００４８】
本発明の実施形態は、ダウンリンクデータの消失を回避するべく、データ伝送の方法および装置を提供する。
【００４９】
本発明の実施形態における添付図面に関連して、本発明の実施形態における技術的解決法を以下で明確かつ完全に説明する。説明される実施形態は、本発明の実施形態のいくつかに過ぎず、すべてではないことは明らかである。創造的努力なしに本発明の実施形態に基づいて当業者によって得られた他のすべての実施形態は、本発明の保護範囲に含まれるものとする。
【００５０】
図１を参照すると、本発明の実施形態におけるデータ伝送方法のある実施形態は、以下の段階を含む。
【００５１】
１０１：ユーザ機器ＵＥが到達不可能状態から到達可能状態に変化したとモビリティ管理エンティティＭＭＥが決定する。
【００５２】
ユーザ機器ＵＥが到達不可能状態であるとき、ＵＥは、ＵＥ宛てのダウンリンクデータを受信できない。例えば、マシンツーマシン（Ｍａｃｈｉｎｅ  ｔｏ  Ｍａｃｈｉｎｅ、Ｍ２Ｍ）デバイスが省電力状態にあるとき、すなわち、Ｍ２Ｍデバイスが到達不可能状態にあるとき、この場合、デバイスはいずれのネットワーク側デバイスにも接続されない。したがって、ネットワーク側がダウンリンクデータをＭ２Ｍデバイスへ送信したとき、ダウンリンクデータは消失する。ＵＥが到達可能状態にあるとき、すなわち、ＵＥとネットワーク側デバイスとの間に接続が確立されているとき、この場合、ＵＥは、ネットワーク側デバイスによって送信されたダウンリンクデータを受信できる。ネットワーク側デバイスにおけるＭＭＥは、合法的範囲内のモニタリングをサポートする機能を有するので、ＭＭＥは、ＵＥの状態をリアルタイムにモニタリングする。
【００５３】
１０２：ＭＭＥが、要求メッセージをサービングゲートウェイＳＧＷへ送信する。
【００５４】
ＵＥが到達不可能状態から到達可能状態に変化したとＭＭＥが検出したとき、ダウンリンクデータをＵＥへ送信できる。ダウンリンクデータはアプリケーションサーバによって送信され得るか、または、別のコアネットワークデバイスによって送信され得る。何が最初にダウンリンクデータを送信したかに関係なく、ダウンリンクデータは、ＳＧＷによって転送される必要がある。一般的に、ＵＥが到達可能状態のままである場合、すなわち、ＳＧＷとの接続を直接確立できる場合、ダウンリンクデータがＳＧＷへ配送されたとき、ＳＧＷはダウンリンクデータをＵＥへ直接転送できる。しかしながら、ＵＥが到達不可能状態にあるとき、すなわち、ＳＧＷに接続されていないとき、ＳＧＷは、ダウンリンクデータをＵＥへ送信できない。たとえＵＥが到達不可能状態から到達可能状態に変化した場合でも、ＳＧＷは、ＵＥの状態を知ることができない。したがって、ＭＭＥは、ＳＧＷからダウンリンクデータを取得する必要があり、これにより、ＭＭＥはダウンリンクデータをＵＥへ送信できる。ＭＭＥは、ダウンリンクデータを取得するべく、要求メッセージをＳＧＷへ送信し、ダウンリンクデータをＭＭＥへ送信するようにＳＧＷに要求する。
【００５５】
１０３：ＭＭＥが、ＳＧＷによって送信されたダウンリンクデータを受信する。
【００５６】
ＭＭＥによって送信された要求メッセージを受信後、ＳＧＷは、ダウンリンクデータをＭＭＥへ送信する。ダウンリンクデータは、ＳＧＷによって記憶され得ることに留意すべきである。代替的に、ＳＧＷは、ＭＭＥによって送信された要求メッセージを受信後、配送要求情報をアプリケーションサーバへ送信し、アプリケーションサーバによって送信されるダウンリンクデータを要求し得る。
【００５７】
１０４：ＭＭＥがダウンリンクデータをＵＥへ送信する。
【００５８】
ＭＭＥは、ダウンリンクデータを受信後、ダウンリンクデータをＵＥへ送信し、その結果、ＵＥは、ダウンリンクデータを受信し、ダウンリンクデータに従って、対応する機能を実装する。
【００５９】
本発明の実施形態において提供されるデータ伝送方法は、ユーザ機器ＵＥが到達不可能状態から到達可能状態に変化したとモビリティ管理エンティティＭＭＥが決定する段階と、ＭＭＥが要求メッセージをサービングゲートウェイＳＧＷへ送信する段階と、ＭＭＥが、ＳＧＷによって送信されたダウンリンクデータを受信する段階と、ＭＭＥがダウンリンクデータをＵＥへ送信する段階とを備える。このようにして、ＵＥがダウンリンクデータの到達可能状態に変化したとき、ＭＭＥは、ダウンリンクデータを送信するようにＳＧＷに要求し、次にＭＭＥは、ダウンリンクデータをＵＥへ送信する。それにより、到達不可能状態にあるＵＥへダウンリンクデータが配送されることにより発生する、ダウンリンクデータの消失を回避し、伝送のリアルタイムの正確度を改善する。
【００６０】
図２を参照すると、本発明の実施形態におけるデータ伝送方法の別の実施形態は、以下の段階を含む。
【００６１】
２０１：ユーザ機器ＵＥが到達不可能状態から到達可能状態に変化したと元のモビリティ管理エンティティＭＭＥが決定する。
【００６２】
ユーザ機器ＵＥはモバイルデバイスであり得るので、ＵＥが移動するとき、ＵＥが正常に通信できることを保証するべく、ＵＥは、ＵＥにサービスを提供するＭＭＥを変更する必要があり得る。したがって、本発明のこの実施形態において、ＭＭＥは、元のＭＭＥおよび新しいＭＭＥを含む。元のＭＭＥは、ＵＥが移動する前にＵＥにサービスを提供するＭＭＥであり、新しいＭＭＥは、ＵＥが移動した後にＵＥにサービスを提供するＭＭＥである。元のＭＭＥは、ＵＥが移動する前に、ＵＥにサービスを提供し続けている。したがって、ＵＥの状態のモニタリングは元のＭＭＥによって実行される。
【００６３】
別の実装において、新しいＭＭＥは最初に、元のＭＭＥによって記憶された、ＵＥのデータ情報を取得し得て、新しいＭＭＥがＵＥの状態をモニタリングする。
【００６４】
２０２：元のＭＭＥが要求メッセージをサービングゲートウェイＳＧＷへ送信する。
【００６５】
任意選択の実装において、ＵＥが到達不可能状態から到達可能状態に変化したと元のＭＭＥが決定したとき、元のＭＭＥは最初に、ＵＥ宛てのダウンリンクデータを取得する。したがって、元のＭＭＥは、要求メッセージをＳＧＷへ送信する。
【００６６】
任意選択の別の実装において、ＵＥにサービスを提供する元のＭＭＥが新しいＭＭＥに切り換えられるとき、新しいＭＭＥは、ＳＧＷとの接続を直接確立する。したがって、新しいＭＭＥは、要求メッセージをＳＧＷへ送信し得る。新しいＭＭＥは、ダウンリンクデータを受信後、ダウンリンクデータをＵＥへ直接送信し得る。
【００６７】
２０３：元のＭＭＥが、ＳＧＷによって送信されたダウンリンクデータを受信する。詳細な内容については、Ｓ１０３を参照されたい。
【００６８】
２０４：元のＭＭＥが、ダウンリンクデータを新しいＭＭＥへ送信する。
【００６９】
ＵＥにサービスを提供するＭＭＥが元のＭＭＥから新しいＭＭＥに切り換えられるので、元のＭＭＥは、もはやデータ情報をＵＥへ送信することができない。したがって、元のＭＭＥは、ＳＧＷによって送信されたダウンリンクデータを受信後、ダウンリンクデータを新しいＭＭＥへ送信する必要があり、新しいＭＭＥは、ダウンリンクデータをＵＥへ送信する。
【００７０】
２０５：新しいＭＭＥがダウンリンクデータをＵＥへ送信する。詳細な内容については、Ｓ１０４を参照されたい。
【００７１】
本発明のこの実施形態において、到達不可能状態にあるＵＥが移動するとき、かつ、結果として、ＵＥにサービスを提供するＭＭＥが元のＭＭＥから新しいＭＭＥに切り換えられるとき、１つの実装として、元のＭＭＥは、ＵＥが到達不可能状態から到達可能状態に変化したと決定し、次に元のＭＭＥは、ダウンリンクデータをＳＧＷから取得し、元のＭＭＥは、ダウンリンクデータを新しいＭＭＥへ送信し、最後に、新しいＭＭＥは、ダウンリンクデータをＵＥへ送信し、他の実装として、新しいＭＭＥは、ＳＧＷとの接続を直接確立し、新しいＭＭＥは、ＵＥが到達不可能状態から到達可能状態に変化したと決定し、新しいＭＭＥは、ＳＧＷからダウンリンクデータを取得し、次に、ダウンリンクデータをＵＥへ送信する。ＵＥにサービスを提供するＭＭＥが変化するとき、上記の実装のうちのいずれかでダウンリンクデータを適時にＵＥへ送信でき、それにより、データ伝送の安定性が改善する。
【００７２】
図３を参照すると、本発明の実施形態におけるデータ伝送方法の別の実施形態は、以下の段階を含む。
【００７３】
３０１：ＵＥが到達不可能状態にあるとＭＭＥが決定し、ＭＭＥが、応答メッセージをＳＧＷへ送信する。応答メッセージは、ダウンリンクデータをキャッシュするようにＳＧＷに命令するために使用される。応答メッセージはさらに、キャッシュ有効時間を含み、キャッシュ有効時間は、ＳＧＷがダウンリンクデータをキャッシュする有効時間を示すために使用される。
【００７４】
ＳＧＷはＵＥの状態をモニタリングできないので、アプリケーションサーバによって送信されたダウンリンクデータをＳＧＷが受信したとき、ＳＧＷは、到達不可能状態にあるＵＥへダウンリンクデータを送信できない。したがって、ＳＧＷは、ダウンリンクデータ通知メッセージをＭＭＥへ送信することにより、ダウンリンクデータが到着したのでＵＥへ送信する必要があることを示す。ＭＭＥは、ＵＥが到達不可能状態にあると決定する。ダウンリンクデータが消失することを防止するために、ＭＭＥは、応答メッセージをＳＧＷへ送信することにより、ダウンリンクデータをキャッシュするようにＳＧＷに命令する。ＵＥが過剰に長い時間にわたって到達不可能状態であり続ける場合、ダウンリンクデータは不正確であり得る。加えて、ＳＧＷのキャッシュ空間には制限がある。ＵＥが常に到達不可能状態に留まっている場合、ネットワーク側が比較的大量のダウンリンクデータをＳＧＷへ送信するとき、ＳＧＷは、大量のダウンリンクデータをキャッシュできない。したがって、応答メッセージはさらに、ダウンリンクデータのキャッシュ有効時間を含む。ダウンリンクデータのキャッシュ時間が終了した後も、ダウンリンクデータがまだＵＥへ送信されていないとき、ＳＧＷは、ダウンリンクデータを破棄し得るか、または、元のダウンリンクデータと取って代わる新しいダウンリンクデータを受信するまで待機し得る。
【００７５】
３０２：ＭＭＥが、ＵＥによって送信された非アクセス層ＮＡＳメッセージを受信し、ＵＥが到達可能状態にあると決定する。
【００７６】
上記の実施形態では、ＵＥが到達不可能状態から到達可能状態に変化したことをＭＭＥが検出したとき、ＭＭＥは、ダウンリンクデータを積極的に取得し、ダウンリンクデータをＵＥへ送信すると説明されている。本発明のこの実施形態において、ＵＥが到達不可能状態から到達可能状態に変化したとき、ＵＥはまず、非アクセス層ＮＡＳメッセージ、例えば、トラッキングエリアアップデート（Ｔｒａｃｋｉｎｇ  Ａｒｅａ  Ｕｐｄａｔｅ、略称：ＴＡＵ）メッセージをＭＭＥへ送信し、ＵＥが到達可能状態にあることを示し得る。
【００７７】
任意選択で、ＵＥが到達可能状態に変化したとＭＭＥが決定したとき、ＭＭＥは、ＵＥをページングし得る。ＵＥは、ＭＭＥによって送信されたページングを受信した後、サービスデータを更新するために、サービス要求メッセージをＭＭＥへ送信し得る。したがって、ＭＭＥは、ＵＥによって送信されたサービス要求メッセージを受信する。
【００７８】
３０３：ダウンリンクデータが期限切れでないとＭＭＥが決定し、ＭＭＥが要求メッセージをＳＧＷへ送信する。
【００７９】
ＵＥによって送信されたサービス要求メッセージをＭＭＥが受信した後に、ダウンリンクデータはまだＳＧＷにキャッシュされているので、ＭＭＥは最初に、ダウンリンクデータをＭＭＥへ送信するようにＳＧＷに要求するべく、要求メッセージをＳＧＷへ送信する必要がある。ダウンリンクデータがまだＳＧＷにキャッシュされていることを確実にするべく、または、ダウンリンクデータがまだ有効であると決定するべく、ＭＭＥは、要求メッセージを送信する前に、ダウンリンクデータが期限切れでないことを最初に決定する必要がある。
【００８０】
３０４：ＭＭＥが、ＳＧＷによって送信されたダウンリンクデータを受信する。詳細な内容については、Ｓ１０３を参照されたい。
【００８１】
３０５：ＭＭＥがダウンリンクデータをＵＥへ送信する。詳細な内容については、Ｓ１０４を参照されたい。
【００８２】
本発明のこの実施形態において、ダウンリンクデータがＳＧＷへ配送されたとき、ＭＭＥは、ＵＥが到達不可能状態にあると決定し、次にＭＭＥは、ダウンリンクデータをキャッシュするように、および、キャッシュ有効時間を設定するようにＳＧＷに命令するべく、応答メッセージをＳＧＷへ送信する。これにより、ダウンリンクデータの消失を回避し、また、ダウンリンクデータのリアルタイムの正確度を保証する。ＵＥが到達不可能状態から到達可能状態に変化したとき、ＵＥは、ＮＡＳメッセージをＭＭＥへ送信し、その結果、ＭＭＥは、ＵＥが到達可能状態にあると決定し、ＭＭＥは、ＳＧＷからダウンリンクデータを取得し、次に、ダウンリンクデータをＵＥへ送信する。このようにして、ＵＥは、ダウンリンクデータを適時に受信し、データ伝送の正確度が改善する。
【００８３】
図４を参照すると、本発明の実施形態におけるデータ伝送方法の別の実施形態は、以下の段階を含む。
【００８４】
４０１：モビリティ管理エンティティＭＭＥが、サービングゲートウェイＳＧＷによって送信されたダウンリンクデータ通知メッセージを受信する。当該通知メッセージは、ユーザ機器ＵＥ宛てのダウンリンクデータを含む。
【００８５】
ＳＧＷは、ＵＥ宛てのダウンリンクデータをアプリケーションサーバから受信したとき、ＳＧＷとの接続をＵＥが確立できないと認識する。この場合、ＳＧＷは、ＵＥ宛てのダウンリンクデータが到着したことを示すべく、ダウンリンクデータ通知メッセージをＭＭＥへ送信し、ダウンリンクデータ通知メッセージを使用することによってダウンリンクデータをＭＭＥへ送信する。
【００８６】
４０２：ＵＥが到達不可能状態にあるとＭＭＥが決定し、ＭＭＥがダウンリンクデータをキャッシュする。
【００８７】
ＭＭＥがダウンリンクデータ通知メッセージおよびダウンリンクデータを受信したとき、ＭＭＥは、ＵＥの状態を決定する。ＭＭＥは、ＵＥが到達不可能状態にあると決定したとき、ダウンリンクデータをキャッシュし、これにより、ＵＥが到達可能状態に変化したとき、ＭＭＥは、ダウンリンクデータをＵＥへ送信し得る。
【００８８】
４０３：ＵＥが到達可能状態に変化したとき、ＭＭＥがダウンリンクデータをＵＥへ送信する。
【００８９】
本発明のこの実施形態において、ＵＥが到達不可能状態にあるとき、ＭＭＥは、ＳＧＷによって送信されたダウンリンクデータを受信する。ダウンリンクデータの消失を回避するべく、ＭＭＥは、ダウンリンクデータをキャッシュし、これにより、ＵＥが到達可能状態に変化したとき、ＭＭＥは、ダウンリンクデータをＵＥへ送信する。このようにして、ＵＥはダウンリンクデータを適時に受信し、それにより、データ伝送のリアルタイム性が改善する。
【００９０】
図５を参照すると、本発明の実施形態におけるデータ伝送方法の別の実施形態は、以下の段階を含む。
【００９１】
５０１：モビリティ管理エンティティＭＭＥが、サービングゲートウェイＳＧＷによって送信されたダウンリンクデータ通知メッセージを受信する。当該通知メッセージは、ユーザ機器ＵＥ宛てのダウンリンクデータを含む。
【００９２】
詳細な内容については、Ｓ４０１を参照されたい。
【００９３】
５０２：ＵＥが到達不可能状態にあるとＭＭＥが決定し、ＭＭＥがダウンリンクデータをキャッシュする。
【００９４】
詳細な内容については、Ｓ４０２を参照されたい。
【００９５】
５０３：ＭＭＥがダウンリンクデータのキャッシュ有効時間を設定する。
【００９６】
図３の実施形態におけるＳ３０１は、ＳＧＷがダウンリンクデータをキャッシュし、ダウンリンクデータのキャッシュ有効時間を設定することを説明する。同様に、本発明のこの実施形態において、ＭＭＥはまた、ダウンリンクデータをキャッシュし、ダウンリンクデータのキャッシュ有効時間を設定し得る。
【００９７】
５０４：ＭＭＥが、ダウンリンクデータがキャッシュされていることを示すべく、指示メッセージをＳＧＷへ送信する。指示メッセージはさらに、ダウンリンクデータのキャッシュ有効時間を含む。
【００９８】
Ｓ５０１では、ＳＧＷがダウンリンクデータを受信したとき、ＳＧＷがダウンリンクデータをＵＥへ送信できない場合、ＳＧＷは、ダウンリンクデータ通知メッセージをＭＭＥへ送信することが説明されている。ダウンリンクデータがＭＭＥにキャッシュされるとき、ダウンリンクデータのキャッシュ有効時間は、指示メッセージを使用することによってＳＧＷへ送信される。この場合、ダウンリンクデータのキャッシュ有効時間内において、ＳＧＷが、アプリケーションサーバによって送信されたダウンリンクデータを再度受信したとき、ＳＧＷは、もはやダウンリンクデータ通知メッセージをＭＭＥへ送信する必要がない。ダウンリンクデータはまだＭＭＥにキャッシュされているので、ＵＥが到達可能状態に変化したとＭＭＥが決定したとき、ＭＭＥは、ＵＥとの接続を適時に確立する。
【００９９】
ＳＧＷが、アプリケーションサーバによって送信されたダウンリンクデータをダウンリンクデータのキャッシュ有効時間内に再度受信したとき、ＳＧＷは、新たに受信されたダウンリンクデータをＭＭＥへ直接送信して、これにより、ＭＭＥは、新たに受信されたダウンリンクデータをキャッシュし得ることに留意すべきである。また、ＳＧＷも新たに受信されたダウンリンクデータをキャッシュし得る。
【０１００】
５０５：ＭＭＥが、ＵＥによって送信された非アクセス層ＮＡＳメッセージを受信し、ＵＥが到達可能状態にあると決定する。
【０１０１】
詳細な内容については、Ｓ３０２を参照されたい。
【０１０２】
５０６：ダウンリンクデータが期限切れでないとＭＭＥが決定し、ＭＭＥがダウンリンクデータをＵＥへ送信する。
【０１０３】
到達不可能状態にあるＵＥが移動するとき、結果として、ＵＥにサービスを提供するＭＭＥが変化し得ることに留意すべきである。したがって、本発明のこの実施形態において、ＭＭＥは、元のＭＭＥおよび新しいＭＭＥを含み得る。ＵＥにサービスを提供するＭＭＥが元のＭＭＥから新しいＭＭＥに切り換えられるとき、ＭＭＥがダウンリンクデータをＵＥへ送信する段階は、元のＭＭＥがダウンリンクデータを新しいＭＭＥへ送信する段階と、新しいＭＭＥがダウンリンクデータをＵＥへ送信する段階とを含む。
【０１０４】
本発明のこの実施形態において、ＳＧＷは、ＵＥ宛てのダウンリンクデータを受信した後、ダウンリンクデータをＵＥへ直接送信できず、ＳＧＷは、ダウンリンクデータをＭＭＥへ送信する。ＭＭＥは、ＵＥが到達不可能状態にあると決定したとき、ダウンリンクデータをキャッシュし、ダウンリンクデータのキャッシュ有効時間を設定する。このようにして、ダウンリンクデータのリアルタイム性が改善する。ＵＥが到達可能状態に変化したとき、ＵＥは、サービス要求メッセージをＭＭＥへ送信し、次にＭＭＥは、ダウンリンクデータが期限切れであるかどうかを決定する。ダウンリンクデータが期限切れでない場合、ＭＭＥは、ダウンリンクデータをＵＥへ送信し、それにより、データ伝送のリアルタイム性が改善する。
【０１０５】
図６を参照すると、本発明の実施形態におけるデータ伝送方法の別の実施形態は、以下の段階を含む。
【０１０６】
６０１：サービングゲートウェイＳＧＷが、ユーザ機器ＵＥ宛てのダウンリンクデータを受信する。
【０１０７】
アプリケーションサーバによってＵＥへ送信されるすべてのダウンリンクデータは、ＳＧＷによって転送される必要がある。したがって、ダウンリンクデータがＵＥへ送信される前に、まずＳＧＷがダウンリンクデータを受信する。
【０１０８】
６０２：ＳＧＷが、ダウンリンクデータ通知メッセージをモビリティ管理エンティティＭＭＥへ送信する。
【０１０９】
ＳＧＷは、ＵＥ宛てのダウンリンクデータをアプリケーションサーバから受信したとき、ＳＧＷとの接続をＵＥが確立できないと認識する。次にＳＧＷは、ダウンリンクデータ通知メッセージをＭＭＥへ送信し、ＵＥ宛てのダウンリンクデータが到着したことを示す。
【０１１０】
６０３：ＳＧＷが、ＭＭＥによって送信されたキャッシュ指示を受信する。
【０１１１】
６０４：ＳＧＷが、キャッシュ指示に従ってダウンリンクデータをキャッシュする。任意選択で、キャッシュ指示はさらに、キャッシュ有効時間を含む。
【０１１２】
ＳＧＷがキャッシュ指示に従ってダウンリンクデータをキャッシュした後に、方法はさらに、ＳＧＷがキャッシュ指示に従ってダウンリンクデータのキャッシュ有効時間を設定する段階を備える。
【０１１３】
詳細な内容については、Ｓ３０１を参照されたい。
【０１１４】
６０５：ＳＧＷがＭＭＥによって送信された要求メッセージを受信する。
【０１１５】
６０６：ＳＧＷが要求メッセージに従って、ダウンリンクデータをＭＭＥへ送信し、その結果、ＭＭＥがダウンリンクデータをＵＥへ送信する。詳細な内容についてはＳ３０３を参照されたい。
【０１１６】
図７を参照すると、本発明の実施形態におけるデータ伝送方法の別の実施形態は、以下の段階を含む。
【０１１７】
７０１：モビリティ管理エンティティＭＭＥが、アプリケーションサーバによって構成された到達可能性イベントを受信する。到達可能性イベントは、ユーザ機器ＵＥが到達可能状態にあることをＭＭＥがアプリケーションサーバに示すために使用される。
【０１１８】
コンピュータ用語としてのイベントの意味については、イベントは、コントロールによって認識可能な操作であり、例えばＯＫボタンを押す、または、ラジオボタンもしくはチェックボックスを選択するなどである。各コントロールは、当該コントロールによって認識可能なイベントを有する。イベントは、例えば、フォームローディングイベント、クリックイベント、ダブルクリックイベント、エディットボックス（テキストボックス）のテキスト変更イベントである。
【０１１９】
上記のすべての実施形態では、ＵＥが到達可能状態にあるか、または到達不可能状態にあるかに関わらず、アプリケーションサーバは最初にダウンリンクデータをＳＧＷへ送信することが説明されている。ＵＥが到達不可能状態にある場合、まず、ＳＧＷがダウンリンクデータをキャッシュするか、または、ＭＭＥがダウンリンクデータをキャッシュする。ＵＥが到達可能状態に変化したとき、ＭＭＥは、ダウンリンクデータをＵＥへ送信する。しかしながら、本発明のこの実施形態において、アプリケーションサーバは、ダウンリンクデータを送信する前に、まず、ＵＥが到達可能状態にあるかどうかを決定し得る。ＵＥが到達可能状態にあるとき、ダウンリンクデータはＵＥへ送信される。ＭＭＥはＵＥをモニタリングする機能を有するので、アプリケーションサーバはまず、ＭＭＥに到達可能性イベントを設定し得る。ＵＥが到達可能状態にあるとＭＭＥが決定したとき、到達可能性イベントがトリガされ、ユーザ機器ＵＥが到達可能状態にあることがアプリケーションサーバに示される。
【０１２０】
７０２：ＭＭＥが、ＵＥによって送信された非アクセス層ＮＡＳメッセージを受信し、ＵＥが到達可能状態にあると決定する。または、ＵＥが到達可能状態に変化したとＭＭＥが決定したとき、ＭＭＥはＵＥをページングし、ＵＥによって発行されたサービス要求メッセージを受信する。
【０１２１】
詳細な内容については、Ｓ３０２を参照されたい。
【０１２２】
７０３：ＭＭＥがＵＥの到達可能性イベントレポートをアプリケーションサーバへ送信する。
【０１２３】
ＵＥが到達可能状態に変化したとＭＭＥが決定したとき、ＭＭＥは、ＵＥの到達可能性イベントレポートをアプリケーションサーバへ送信し、アプリケーションサーバがダウンリンクデータをＵＥへ送信できることを示す。
【０１２４】
７０４：ＭＭＥがダウンリンクデータをアプリケーションサーバから受信する。
【０１２５】
任意選択で、ＭＭＥは、サービングゲートウェイＳＧＷを通して、アプリケーションサーバによって送信されたダウンリンクデータを受信する。アプリケーションサーバが、ＭＭＥによって送信された到達可能性イベントレポートを受信したとき、アプリケーションサーバは、ダウンリンクデータをＳＧＷへ送信できる。ＳＧＷは、ダウンリンクデータを受信したとき、ダウンリンクデータをＭＭＥへ送信し、その結果、ＭＭＥはダウンリンクデータをＵＥへ転送する。
【０１２６】
７０５：ＭＭＥがダウンリンクデータをＵＥへ送信する。
【０１２７】
本発明のこの実施形態において、アプリケーションサーバは到達可能性イベントをＭＭＥに設定する。ＭＭＥは、ＵＥが到達可能状態にあるとＭＭＥが決定したときのみ、到達可能性イベントレポートをアプリケーションサーバへ送信し、その結果、アプリケーションサーバはダウンリンクデータをＵＥへ送信する。このようにして、ダウンリンクデータがほぼリアルタイムのデータであることが保証され、データ伝送のリアルタイム性が改善する。
【０１２８】
図８を参照すると、本発明の実施形態におけるモビリティ管理エンティティＭＭＥのある実施形態は、処理モジュール８０１、送信モジュール８０２および受信モジュール８０３を備える。
【０１２９】
処理モジュール８０１は、ユーザ機器ＵＥが到達不可能状態から到達可能状態に変化したと決定するように構成されている。詳細な内容についてはＳ１０１を参照されたい。送信モジュール８０２は、要求メッセージをサービングゲートウェイＳＧＷへ送信するように構成されている。詳細な内容についてはＳ１０２を参照されたい。受信モジュール８０３は、ＳＧＷによって送信されたダウンリンクデータを受信するように構成されている。詳細な内容についてはＳ１０３を参照されたい。送信モジュール８０２はさらに、ダウンリンクデータをＵＥへ送信するように構成されている。詳細な内容についてはＳ１０４を参照されたい。
【０１３０】
任意選択で、ＭＭＥは、元のＭＭＥおよび新しいＭＭＥを含み、ＵＥにサービスを提供する元のＭＭＥが新しいＭＭＥに切り換えられるとき、送信モジュール８０２は、具体的には、元のＭＭＥが要求メッセージをＳＧＷへ送信するように構成されている。詳細な内容についてはＳ２０２を参照されたい。
【０１３１】
受信モジュール８０３は、具体的には、元のＭＭＥがＳＧＷによって送信されたダウンリンクデータを受信するように構成されている。詳細な内容についてはＳ２０３を参照されたい。
【０１３２】
送信モジュール８０２はさらに、元のＭＭＥがダウンリンクデータを新しいＭＭＥへ送信するように構成されている。詳細な内容についてはＳ２０４を参照されたい。送信モジュール８０２はさらに、新しいＭＭＥがダウンリンクデータをＵＥへ送信するように構成されている。詳細な内容についてはＳ２０５を参照されたい。
【０１３３】
任意選択で、ＭＭＥは、元のＭＭＥおよび新しいＭＭＥを含み、ＵＥにサービスを提供する元のＭＭＥが新しいＭＭＥに切り換えられるとき、送信モジュール８０２は、具体的には、新しいＭＭＥが要求メッセージをＳＧＷへ送信するように構成されている。詳細な内容についてはＳ２０２を参照されたい。
【０１３４】
受信モジュール８０３は、具体的には、新しいＭＭＥがＳＧＷによって送信されたダウンリンクデータを受信するように構成されている。送信モジュール８０２はさらに、新しいＭＭＥがダウンリンクデータをＵＥへ送信するように構成されている。
【０１３５】
任意選択で、処理モジュール８０１は、具体的には、ＵＥによって送信された非アクセス層ＮＡＳメッセージが受信されたとき、ＵＥが到達可能状態にあると決定するように構成されている。
【０１３６】
任意選択で、送信モジュール８０２はさらに、要求メッセージをＳＧＷへ送信する前に、ＵＥが到達不可能状態から到達可能状態に変化したと決定されたとき、ＵＥをページングするように構成されている。
【０１３７】
受信モジュール８０３はさらに、ＵＥによって送信されたサービス要求メッセージを受信するように構成されている。詳細な内容についてはＳ３０２を参照されたい。
【０１３８】
任意選択で、送信モジュール８０２はさらに、ＵＥが到達不可能状態から到達可能状態に変化したと決定される前に、ＵＥが到達不可能状態にあると決定されたとき、応答メッセージをＳＧＷへ送信するように構成され、応答メッセージは、ダウンリンクデータをキャッシュするようにＳＧＷに命令するために使用される。
【０１３９】
任意選択で、応答メッセージはさらに、キャッシュ有効時間を含み、当該キャッシュ有効時間は、ＳＧＷがダウンリンクデータをキャッシュする有効時間を示すために使用される。詳細な内容についてはＳ３０１を参照されたい。
【０１４０】
任意選択で、送信モジュール８０２はさらに、具体的には、ダウンリンクデータが期限切れでないと決定されたとき、要求メッセージをＳＧＷへ送信するように構成されている。詳細な内容についてはＳ３０３を参照されたい。
【０１４１】
図９を参照すると、本発明の実施形態におけるモビリティ管理エンティティＭＭＥの別の実施形態は、受信モジュール９０１、処理モジュール９０２、記憶モジュール９０３および送信モジュール９０４を備える。
【０１４２】
受信モジュール９０１は、サービングゲートウェイＳＧＷによって送信されたダウンリンクデータ通知メッセージを受信するように構成され、当該通知メッセージは、ユーザ機器ＵＥ宛てのダウンリンクデータを含む。詳細な内容についてはＳ４０１を参照されたい。処理モジュール９０２は、ＵＥが到達不可能状態にあると決定するように構成されている。
【０１４３】
記憶モジュール９０３は、ＵＥが到達不可能状態にあると決定されたとき、ダウンリンクデータをキャッシュするように構成されている。詳細な内容についてはＳ４０２を参照されたい。
【０１４４】
送信モジュール９０４は、ＵＥが到達可能状態に変化したとき、ダウンリンクデータをＵＥへ送信するように構成されている。詳細な内容についてはＳ４０３を参照されたい。
【０１４５】
任意選択で、処理モジュール９０２はさらに、ダウンリンクデータがキャッシュされた後に、ダウンリンクデータのキャッシュ有効時間を設定するように構成されている。
【０１４６】
任意選択で、送信モジュール９０４は、具体的には、ダウンリンクデータが期限切れでないと決定されたとき、ダウンリンクデータをＵＥへ送信するように構成されている。
【０１４７】
任意選択で、ＭＭＥは、元のＭＭＥおよび新しいＭＭＥを含み、ＵＥにサービスを提供する元のＭＭＥが新しいＭＭＥに切り換えられるとき、送信モジュール９０４は、具体的には、元のＭＭＥがダウンリンクデータを新しいＭＭＥへ送信するように、および、新しいＭＭＥがダウンリンクデータをＵＥへ送信するように構成されている。詳細な内容についてはＳ５０６を参照されたい。
【０１４８】
任意選択で、処理モジュール９０２は、具体的には、ＵＥによって送信された非アクセス層ＮＡＳメッセージが受信されたとき、ＵＥが到達可能状態にあると決定するように構成されている。詳細な内容についてはＳ５０５を参照されたい。
【０１４９】
任意選択で、送信モジュール９０４はさらに、ダウンリンクデータがＵＥへ送信される前に、ＵＥが到達可能状態に変化したと決定されたとき、ＭＭＥがＵＥをページングするように構成されている。
【０１５０】
受信モジュール９０１はさらに、ＵＥによって送信されたサービス要求メッセージを受信するように構成されている。
【０１５１】
任意選択で、送信モジュール９０４はさらに、ダウンリンクデータがキャッシュされた後に、指示メッセージをＳＧＷへ送信し、ダウンリンクデータがキャッシュされていることを示すように構成されている。任意選択で、指示メッセージはさらに、ダウンリンクデータのキャッシュ有効時間を含む。詳細な内容についてはＳ５０４を参照されたい。
【０１５２】
図１０を参照すると、本発明の実施形態におけるサービングゲートウェイＳＧＷのある実施形態は、受信モジュール１００１、送信モジュール１００２、記憶モジュール１００３および処理モジュール１００４を備える。受信モジュール１００１は、ユーザ機器ＵＥ宛てのダウンリンクデータを受信するように構成されている。詳細な内容についてはＳ６０１を参照されたい。
【０１５３】
送信モジュール１００２は、ダウンリンクデータ通知メッセージをモビリティ管理エンティティＭＭＥへ送信するように構成されている。詳細な内容についてはＳ６０２を参照されたい。受信モジュール１００１はさらに、ＭＭＥによって送信されたキャッシュ指示を受信するように構成されている。
【０１５４】
記憶モジュール１００３は、キャッシュ指示に従ってダウンリンクデータをキャッシュするように構成されている。詳細な内容についてはＳ６０４を参照されたい。受信モジュール１００１はさらに、ＭＭＥによって送信された要求メッセージを受信するように構成されている。
【０１５５】
送信モジュール１００２はさらに、要求メッセージに従ってダウンリンクデータをＭＭＥへ送信するように構成され、その結果、ＭＭＥは、ダウンリンクデータをＵＥへ送信する。詳細な内容についてはＳ６０６を参照されたい。
【０１５６】
処理モジュール１００４は、ダウンリンクデータをキャッシュするように記憶モジュール１００３に命令するように構成されている。任意選択で、キャッシュ指示はさらに、キャッシュ有効時間を含む。
【０１５７】
処理モジュール１００４はさらに、キャッシュ指示に従ってダウンリンクデータがキャッシュされた後に、キャッシュ指示に従って、ダウンリンクデータのキャッシュ有効時間を設定するように構成されている。詳細な内容についてはＳ６０４を参照されたい。
【０１５８】
図１１を参照すると、本発明の実施形態におけるモビリティ管理エンティティＭＭＥの別の実施形態は、受信モジュール１１０１、送信モジュール１１０２および処理モジュール１１０３を備える。
【０１５９】
受信モジュール１１０１は、アプリケーションサーバによって構成された到達可能性イベントを受信するように構成され、当該到達可能性イベントは、ユーザ機器ＵＥが到達可能状態にあることをアプリケーションサーバに示すためにＭＭＥによって使用される。詳細な内容についてはＳ７０１を参照されたい。
【０１６０】
受信モジュール１１０１はさらに、ＵＥによって送信された非アクセス層ＮＡＳメッセージを受信し、ＵＥが到達可能状態にあると決定するように、または、ＵＥが到達可能状態に変化したと決定されたとき、ＵＥをページングし、ＵＥによって発行されたサービス要求メッセージを受信するように構成されている。詳細な内容についてはＳ７０２を参照されたい。
【０１６１】
送信モジュール１１０２は、ＵＥの到達可能性イベントレポートをアプリケーションサーバへ送信するように構成されている。詳細な内容についてはＳ７０３を参照されたい。
【０１６２】
受信モジュール１１０１はさらに、ダウンリンクデータをアプリケーションサーバから受信するように構成されている。詳細な内容についてはＳ７０４を参照されたい。送信モジュール１１０２はさらに、ダウンリンクデータをＵＥへ送信するように構成されている。詳細な内容についてはＳ７０５を参照されたい。処理モジュール１１０３は、ＵＥの状態を決定するように構成されている。
【０１６３】
任意選択で、受信モジュール１１０１は、具体的には、サービングゲートウェイＳＧＷを通して、アプリケーションサーバによって送信されたダウンリンクデータを受信するように構成されている。詳細な内容についてはＳ７０４を参照されたい。
【０１６４】
図１２は、本発明の実施形態に係る、モビリティ管理エンティティＭＭＥの別の概略構造図である。ＭＭＥは、少なくとも１つの受信器１２０１、少なくとも１つの送信器１２０２、少なくとも１つのプロセッサ１２０３およびメモリ１２０４を備え得る。
【０１６５】
本発明のこの実施形態に係るＭＭＥは、図１２に示されているものより多い、または、より少ないコンポーネントを備え得て、２つもしくはそれより多いコンポーネントを組み合わせ得るか、または、コンポーネントの異なる構成もしくは配置を有し得て、当該コンポーネントは、１もしくは複数の信号処理および／または特定用途向け集積回路に含まれる、ハードウェア、ソフトウェア、または、ハードウェアもしくはソフトウェアの組み合わせにおいて実装され得る。
【０１６６】
具体的には、送信器１２０２は、図８の実施形態における送信モジュール８０２、図９の実施形態における送信モジュール９０４、および、図１１の実施形態における送信モジュール１１０２の機能を実装し得る。
【０１６７】
受信器１２０１は、図８の実施形態における受信モジュール８０３、図９の実施形態における受信モジュール９０１、および、図１１の実施形態における受信モジュール１１０１の機能を実現し得る。
【０１６８】
プロセッサ１２０３は、図８の実施形態における処理モジュール８０１、図９の実施形態における処理モジュール９０２、および、図１１の実施形態における処理モジュール１１０３の機能を実現し得る。メモリ１２０４は、図９の実施形態における記憶モジュール９０３の機能を実現し得る。
【０１６９】
図１３は、本発明の実施形態に係るサービングゲートウェイＳＧＷの別の概略構造図である。ＳＧＷは、少なくとも１つの受信器１３０１、少なくとも１つの送信器１３０２、少なくとも１つのプロセッサ１３０３およびメモリ１３０４を備え得る。
【０１７０】
本発明のこの実施形態に係るＳＧＷは、図１３に示されているものより多い、または、より少ないコンポーネントを備え得て、２つもしくはそれより多いコンポーネントを組み合わせ得るか、または、コンポーネントの異なる構成もしくは配置を有し得て、これらのコンポーネントは、１もしくは複数の信号処理および／または特定用途向け集積回路に含まれる、ハードウェア、ソフトウェア、または、ハードウェアもしくはソフトウェアの組み合わせにおいて実現され得る。
【０１７１】
具体的には、送信器１３０２は、図１０の実施形態における送信モジュール１００２の機能を実現し得る。
【０１７２】
受信器１３０１は、図１０の実施形態における受信モジュール１００１の機能を実現し得る。
【０１７３】
プロセッサ１３０３は、図１０の実施形態における処理モジュール１００４の機能を実現し得る。メモリ１３０４は、図１０の実施形態における記憶モジュール１００３の機能を実現し得る。
【０１７４】
上記の実施形態は、本発明の技術的解決法を説明することが意図されているに過ぎず、本発明を限定することが意図されているわけではない。本発明は、上記の実施形態に関連して詳細に説明されているが、当業者であれば、本発明の実施形態の技術的解決法の範囲から逸脱することなく、上記の実施形態において説明されている技術的解決法に対してさらに修正を加えられ得るか、または、それらのいくつかの技術的特徴に対して同等の置換を成し得ることを理解するはずである。
【図１】
0006518010.tif 000002
【図２】
0006518010.tif 000003
【図３】
0006518010.tif 000004
【図４】
0006518010.tif 000005
【図５】
0006518010.tif 000006
【図６】
0006518010.tif 000007
【図７】
0006518010.tif 000008
【図８】
0006518010.tif 000009
【図９】
0006518010.tif 000010
【図１０】
0006518010.tif 000011
【図１１】
0006518010.tif 000012
【図１２】
0006518010.tif 000013
【図１３】
0006518010.tif 000014